(57)【要約】【課題】耐光性及び耐オゾン性に優れる画像を形成することができ、かつ、所望の色相を発現することができるインク組成物の提供。【解決手段】  少なくとも、第１の色材及び第２の色材を含有するインク組成物であって、  前記第１の色材が、明細書中に記載の一般式（Ａ−１）で表される化合物であり、前記第２の色材が、明細書中に記載の一般式（Ｂ−１）で表される化合物、一般式（Ｂ−２）で表される化合物、及び一般式（Ｂ−３）で表される化合物から選択される少なくとも１種の化合物であるインク組成物。【選択図】なし【特許請求の範囲】
【請求項１】
少なくとも、第１の色材及び第２の色材を含有するインク組成物であって、
前記第１の色材が、下記一般式（Ａ−１）で表される化合物であり、前記第２の色材が、下記一般式（Ｂ−１）で表される化合物、下記一般式（Ｂ−２）で表される化合物、及び下記一般式（Ｂ−３）で表される化合物から選択される少なくとも１種の化合物であるインク組成物。
【化１】
2013237807.tif 000040
（一般式（Ａ−１）中、
Ａ１は置換若しくは無置換のアリール基、又は置換若しくは無置換のヘテロ環基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｂ１、及びＢ２はそれぞれ独立に、窒素原子又は−Ｃ（Ｒ６１）＝を表す。Ｒ６１は、水素原子、アルキル基、スルホ基、カルボキシ基、置換若しくは無置換のカルバモイル基、又はシアノ基を表す。
Ｒ２、及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表す。
Ｒ４は水素原子、置換若しくは無置換のアルキルアミノ基、又は置換若しくは無置換のアリールアミノ基を表す。）
【化２】
2013237807.tif 000041
（一般式（Ｂ−１）中、Ｒ１０、Ｒ１１及びＲ１２はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。ｐは１〜４の整数であり、ｑは０〜６の整数であり、ｒは１〜６の整数である。）
【化３】
2013237807.tif 000042
（一般式（Ｂ−２）中、Ｒ２１、Ｒ２２及びＲ２３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表し、Ｑは置換若しくは無置換のアリール基、又は置換若しくは無置換のヘテロ環基を表し、ｍは１〜５の整数であり、ｎは０〜６の整数であり、ｏは０〜４の整数である。）
【化４】
2013237807.tif 000043
（一般式（Ｂ−３）中、
Ｇ２は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｘ１、Ｘ２、Ｘ３、Ｘ４、及びＸ５はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｙ２、Ｙ３及びＹ４はそれぞれ独立に、水素原子、イオン性親水性基、置換又は無置換のヘテロ環アミノ基、置換又は無置換のカルバモイル基、置換又は無置換のスルファモイル基、置換又は無置換のアルキルスルホニルアミノ基、置換又は無置換のアリールスルホニルアミノ基、置換若しくは無置換のアシルアミノ基を表す。Ｙ２、Ｙ３及びＹ４の全てが同時に水素原子を表すことはない。
Ｍはそれぞれ独立に水素原子又は一価のカウンターカチオンを表す。）
【請求項２】
前記一般式（Ａ−１）で表される化合物が、下記一般式（Ａ−２）で表される化合物であることを特徴とする請求項１に記載のインク組成物。
【化５】
2013237807.tif 000044
（一般式（Ａ−２）中、Ａ１は置換若しくは無置換のアリール基、又は置換若しくは無置換のヘテロ環基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｍはそれぞれ独立に水素原子又は一価のカウンターカチオンを表す。）
【請求項３】
前記一般式（Ｂ−１）で表される化合物が、下記一般式（Ｂ−１−１）で表される化合物であることを特徴とする請求項１又は２に記載のインク組成物。  
【化６】
2013237807.tif 000045
（一般式（Ｂ−１−１）中、Ｒ１３〜Ｒ１９はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。）
【請求項４】
前記一般式（Ｂ−２）で表される化合物が、下記一般式（Ｂ−２−１）で表される化合物であることを特徴とする請求項１〜３のいずれか１項に記載のインク組成物。
【化７】
2013237807.tif 000046
（一般式（Ｂ−２−１）中、Ｒ２４〜Ｒ３３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。）
【請求項５】
前記一般式（Ｂ−２）で表される化合物が、下記一般式（Ｂ−２−２）で表される化合物であることを特徴とする請求項１〜３のいずれか１項に記載のインク組成物。
【化８】
2013237807.tif 000047
一般式（Ｂ−２−２）中、Ｒ２４〜Ｒ２８及びＲ３２〜Ｒ３４はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表す。ｓは０〜５の整数である。）
【請求項６】
前記一般式（Ｂ−３）で表される化合物が、下記一般式（Ｂ−３−１）で表される化合物であることを特徴とする請求項１〜５のいずれか１項に記載のインク組成物。
【化９】
2013237807.tif 000048
（一般式（Ｂ−３−１）中、Ｒ３５、Ｒ３６、Ｒ３７、及びＲ３８は、それぞれ独立に水素原子、置換若しくは無置換のアルキル基、置換若しくは無置換のアリール基、又は置換もしくは無置換のヘテロ環基を表す。Ｘ１、Ｘ２、Ｘ３、Ｘ４、及びＸ5はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｍはそれぞれ独立に水素原子又は一価のカウンターカチオンを表す。）
【請求項７】
前記インク組成物中における前記第１の色材の含有量が、前記第２の色材の含有量に対して、質量比で０．２以上８以下である請求項１〜６のいずれか一項に記載のインク組成物。
【請求項８】
前記第１の色材の含有量が、インク組成物全質量に対して、１．０〜１２．０質量％である請求項１〜７のいずれか一項に記載のインク組成物。
【請求項９】
前記第２の色材の含有量が、インク組成物全質量に対して、１．０〜１２．０質量％である請求項１〜８のいずれか一項に記載のインク組成物。
【請求項１０】
印刷機用カートリッジ内のチャンバーに充填されるカートリッジインクであって、前記インクは請求項１〜９のいずれか一項に記載のインク組成物を含有するインクジェット印刷機用カートリッジインク。
【請求項１１】
請求項１０に記載のインクジェット印刷機用カートリッジインクを用いる、インクジェット記録方法。
【請求項１２】
請求項１１に記載の印刷機用カートリッジインクを用いる、インクジェット印刷機。
【発明の詳細な説明】
【技術分野】
【０００１】
本発明は、インク組成物、インクジェット記録用インク及びインクジェット記録方法に関する。
【背景技術】
【０００２】
インクジェット記録方法は、インク小滴を普通紙や光沢メディアなどの記録媒体に付与して画像を形成する記録方法であり、その低価格化、記録速度の向上により、急速に普及が進んでいる。また、インクジェット記録方法により得られる画像の高画質化が進んだことに加えて、デジタルカメラの急速な普及に伴い、銀塩写真に匹敵する画像の出力方法として広く一般的になっている。
【０００３】
更に近年、複数のカラーインク組成物を用いたインクジェット記録方法によってカラー画像を形成して記録物を得ることが行われている。一般に、カラー画像の形成は、イエローインク組成物、マゼンタインク組成物、及びシアンインク組成物の三色、更に所望によりブラックインク組成物を加えた四色によって行われている。また、これらの四色にライトシアンインク組成物及びライトマゼンタインク組成物を加えた六色又はそれらに更にダークイエローインク組成物を加えた七色によってカラー画像形成を行なう場合もある。このような２種以上のインク組成物を組み合わせたものがインクセットである。
【０００４】
上述したカラー画像の形成に用いられるインクセットには、各色ごとのインク組成物自身が良好な発色性を有していることに加え、複数色のインク組成物を組み合わせたときに良好な中間色を発色することができること、及び得られる記録物が保存中に変退色しないこと等が求められる。
【０００５】
更に、ブラックインク組成物は、画像中において画像のコントラストを得るといった観点から重要な役割を果たすため、インクセットにブラックインク組成物を含めることも多い。
したがって、インクセットにブラックインク組成物を含める場合は、ブラックインク組成物が優れた耐光性・耐オゾン性を有するとともに、所望の色相を呈するブラックインク組成物が望まれる。
ブラックインク染料としては、例えば、特許文献１には、光およびオゾンに対する堅牢性の高いアゾ染料が開示されている。さらに、特許文献２には、良好な耐水性、耐光性及び光学濃度を有する化合物が開示されている。
【先行技術文献】
【特許文献】
【０００６】
【特許文献１】特許第4171607号
【特許文献２】特許第4533136号
【発明の概要】
【発明が解決しようとする課題】
【０００７】
特許文献１及び２に記載のブラックインクでは、耐光性、耐オゾン性などの堅牢性改善には一定の効果があるが、近年の使用環境の多様化を鑑みると、更に高いレベルの堅牢性を有し、かつ、所望の色相を発現することができるインク組成物が求められる。
【０００８】
本発明は、耐光性及び耐オゾン性に優れる画像を形成することができ、かつ、所望の色相を発現することができるインク組成物、該インク組成物を用いたインクジェット記録用インク、及びインクジェット記録方法を提供することを目的とする。
【課題を解決するための手段】
【０００９】
上記課題は、以下の手段により解決することができる。
〔１〕
少なくとも、第１の色材及び第２の色材を含有するインク組成物であって、
前記第１の色材が、下記一般式（Ａ−１）で表される化合物であり、前記第２の色材が、下記一般式（Ｂ−１）で表される化合物、下記一般式（Ｂ−２）で表される化合物、及び下記一般式（Ｂ−３）で表される化合物から選択される少なくとも１種の化合物であるインク組成物。
【化１】
2013237807.tif 000002
（一般式（Ａ−１）中、
Ａ１は置換若しくは無置換のアリール基、又は置換若しくは無置換のヘテロ環基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｂ１、及びＢ２はそれぞれ独立に、窒素原子又は−Ｃ（Ｒ６１）＝を表す。Ｒ６１は、水素原子、アルキル基、スルホ基、カルボキシ基、置換若しくは無置換のカルバモイル基、又はシアノ基を表す。
Ｒ２、及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表す。
Ｒ４は水素原子、置換若しくは無置換のアルキルアミノ基、又は置換若しくは無置換のアリールアミノ基を表す。）
【化２】
2013237807.tif 000003
（一般式（Ｂ−１）中、Ｒ１０、Ｒ１１及びＲ１２はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。ｐは１〜４の整数であり、ｑは０〜６の整数であり、ｒは１〜６の整数である。）
【化３】
2013237807.tif 000004
（一般式（Ｂ−２）中、Ｒ２１、Ｒ２２及びＲ２３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表し、Ｑは置換若しくは無置換のアリール基、又は置換若しくは無置換のヘテロ環基を表し、ｍは１〜５の整数であり、ｎは０〜６の整数であり、ｏは０〜４の整数である。）
【化４】
2013237807.tif 000005
（一般式（Ｂ−３）中、
Ｇ２は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｘ１、Ｘ２、Ｘ３、Ｘ４、及びＸ５はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｙ２、Ｙ３及びＹ４はそれぞれ独立に、水素原子、イオン性親水性基、置換又は無置換のヘテロ環アミノ基、置換又は無置換のカルバモイル基、置換又は無置換のスルファモイル基、置換又は無置換のアルキルスルホニルアミノ基、置換又は無置換のアリールスルホニルアミノ基、置換若しくは無置換のアシルアミノ基を表す。Ｙ２、Ｙ３及びＹ４の全てが同時に水素原子を表すことはない。
Ｍはそれぞれ独立に水素原子又は一価のカウンターカチオンを表す。）
〔２〕
前記一般式（Ａ−１）で表される化合物が、下記一般式（Ａ−２）で表される化合物であることを特徴とする〔１〕に記載のインク組成物。
【化５】
2013237807.tif 000006
（一般式（Ａ−２）中、Ａ１は置換若しくは無置換のアリール基、又は置換若しくは無置換のヘテロ環基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｍはそれぞれ独立に水素原子又は一価のカウンターカチオンを表す。）
〔３〕
前記一般式（Ｂ−１）で表される化合物が、下記一般式（Ｂ−１−１）で表される化合物であることを特徴とする〔１〕又は〔２〕に記載のインク組成物。  
【化６】
2013237807.tif 000007
（一般式（Ｂ−１−１）中、Ｒ１３〜Ｒ１９はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。）
〔４〕
前記一般式（Ｂ−２）で表される化合物が、下記一般式（Ｂ−２−１）で表される化合物であることを特徴とする〔１〕〜〔３〕のいずれか１項に記載のインク組成物。
【化７】
2013237807.tif 000008
（一般式（Ｂ−２−１）中、Ｒ２４〜Ｒ３３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。）
〔５〕
前記一般式（Ｂ−２）で表される化合物が、下記一般式（Ｂ−２−２）で表される化合物であることを特徴とする〔１〕〜〔３〕のいずれか１項に記載のインク組成物。
【化８】
2013237807.tif 000009
（一般式（Ｂ−２−２）中、Ｒ２４〜Ｒ２８及びＲ３２〜Ｒ３４はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表す。ｓは０〜５の整数である。）
〔６〕
前記一般式（Ｂ−３）で表される化合物が、下記一般式（Ｂ−３−１）で表される化合物であることを特徴とする〔１〕〜〔５〕のいずれか１項に記載のインク組成物。
【化９】
2013237807.tif 000010
（一般式（Ｂ−３−１）中、Ｒ３５、Ｒ３６、Ｒ３７、及びＲ３８は、それぞれ独立に水素原子、置換若しくは無置換のアルキル基、置換若しくは無置換のアリール基、又は置換もしくは無置換のヘテロ環基を表す。Ｘ１、Ｘ２、Ｘ３、Ｘ４、及びＸ5はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｍはそれぞれ独立に水素原子又は一価のカウンターカチオンを表す。）
〔７〕
前記インク組成物中における前記第１の色材の含有量が、前記第２の色材の含有量に対して、質量比で０．２以上８以下である〔１〕〜〔６〕のいずれか一項に記載のインク組成物。
〔８〕
前記第１の色材の含有量が、インク組成物全質量に対して、１．０〜１２．０質量％である〔１〕〜〔７〕のいずれか一項に記載のインク組成物。
〔９〕
前記第２の色材の含有量が、インク組成物全質量に対して、１．０〜１２．０質量％である〔１〕〜〔８〕のいずれか一項に記載のインク組成物。
〔１０〕
印刷機用カートリッジ内のチャンバーに充填されるカートリッジインクであって、前記インクは〔１〕〜〔９〕のいずれか一項に記載のインク組成物を含有するインクジェット印刷機用カートリッジインク。
〔１１〕
〔１０〕に記載のインクジェット印刷機用カートリッジインクを用いる、インクジェット記録方法。
〔１２〕
〔１１〕に記載の印刷機用カートリッジインクを用いる、インクジェット印刷機。
【発明の効果】
【００１０】
本発明によれば、光、オゾンに対して堅牢な画像を形成することができ、かつ、所望の色相を発現することができるインク組成物、該インク組成物を用いたインクジェット記録用インク、及びインクジェット記録方法を提供することができる。
【図面の簡単な説明】
【００１１】
【図１】実施例におけるインクＮｏ．１〜５について、画像を記録したクリスピア紙でのλmax（反射スペクトル）の値（ＯＤ値）を示す図である。
【図２】実施例におけるインクＮｏ．６〜１０について、画像を記録したクリスピア紙でのλmax（反射スペクトル）の値（ＯＤ値）を示す図である。
【図３】実施例におけるインクＮｏ．１〜５について、算出したＬ＊と濃度（％）との関係を示す図である。
【図４】実施例におけるインクＮｏ．６〜１０について、算出したＬ＊と濃度（％）との関係を示す図である。
【図５】実施例におけるインクＮｏ．１〜５について、算出したａ＊、とｂ＊との関係を示す図である。
【図６】実施例におけるインクＮｏ．６〜１０について、算出したａ＊、とｂ＊との関係を示す図である。
【発明を実施するための形態】
【００１２】
以下に、本発明を好ましい実施の形態を挙げて詳細に説明する。
まず、本発明において、置換基群Ａ、イオン性親水性基及び各置換基について定義する。
（置換基群Ａ） 
例えば、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Ａから選択される基を挙げることができる。
【００１３】
更に詳しくは、ハロゲン原子としては、例えば、フッ素原子、塩素原子、臭素原子、又はヨウ素原子が挙げられる。
【００１４】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。詳細には、アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００１５】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００１６】
アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００１７】
アルキニル基としては、好ましくは、炭素数２から３０の置換又は無置換のアルキニル基、例えば、エチニル基、プロパルギル基、トリメチルシリルエチニル基等が挙げられる。
【００１８】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００１９】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。
【００２０】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００２１】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００２２】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００２３】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００２４】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００２５】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００２６】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００２７】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００２８】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００２９】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００３０】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００３１】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００３２】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００３３】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００３４】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００３５】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００３６】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００３７】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。
【００３８】
アルキル又はアリールスルフィニル基としては、好ましくは、炭素数１から３０の置換又は無置換のアルキルスルフィニル基、６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００３９】
アルキル又はアリールスルホニル基としては、好ましくは、炭素数１から３０の置換又は無置換のアルキルスルホニル基、６から３０の置換又は無置換のアリールスルホニル基、例えば、メチルスルホニル基、エチルスルホニル基、フェニルスルホニル基、ｐ−メチルフェニルスルホニル基等が挙げられる。
【００４０】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００４１】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００４２】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００４３】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００４４】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ、ｐ−クロロフェニルアゾ、５−エチルチオ−１，３，４−チアジアゾール−２−イルアゾ等が挙げられる。
【００４５】
イミド基としては、好ましくは、Ｎ−スクシンイミド基、Ｎ−フタルイミド基等が挙げられる。
【００４６】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００４７】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００４８】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００４９】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００５０】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００５１】
（イオン性親水性基）
スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウム塩、ナトリウム塩、カリウム塩、アンモニウム塩が好ましく、リチウム塩又はリチウム塩を主成分とする混合塩が更に好ましく、リチウム塩が最も好ましい。
【００５２】
（ハメットの置換基定数σｐ値）
本明細書中で用いられるハメットの置換基定数σｐ値について説明する。
ハメット則はベンゼン誘導体の反応又は平衡に及ぼす置換基の影響を定量的に論ずるために１９３５年Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。なお、本発明において各置換基をハメットの置換基定数σｐにより限定したり説明したりするが、これは上記の成書で見出せる、文献既知の値がある置換基にのみ限定されるという意味ではなく、その値が文献未知であってもハメット則に基づいて測定した場合にその範囲内に含まれるであろう置換基をも含むことはいうまでもない。本発明にかかる化合物はベンゼン誘導体ではないが、置換基の電子効果を示す尺度として、置換位置に関係なくσｐ値を使用する。本発明においては今後、σｐ値をこのような意味で使用する。
【００５３】
σｐ値が０．３以上の電子求引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．３以上の他の電子求引性基で置換されたアリール基、ニトロ基、ヘテロ環基、ハロゲン原子、アゾ基、又はセレノシアネート基が挙げられる。好ましくはシアノ基、メチルスルホニル基、フェニルスルホニル基、メトキシカルボニル基、カルバモイル基、ニトロ基であり、より好ましくはシアノ基、メチルスルホニル基、ニトロ基である。
【００５４】
（インク組成物）
本発明のインク組成物は、少なくとも、第１の色材及び第２の色材を含有するインク組成物であって、前記第１の色材が、下記一般式（Ａ−１）で表される化合物であり、前記第２の色材が、下記一般式（Ｂ−１）で表される化合物、下記一般式（Ｂ−２）で表される化合物、及び下記一般式（Ｂ−３）で表される化合物から選択される少なくとも１種の化合物である。
【００５５】
【化１０】
2013237807.tif 000011
【００５６】
（一般式（Ａ−１）中、
Ａ１は置換若しくは無置換のアリール基、又は置換若しくは無置換のヘテロ環基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｂ１、及びＢ２はそれぞれ独立に、窒素原子又は−Ｃ（Ｒ６１）＝を表す。Ｒ６１は、水素原子、アルキル基、スルホ基、カルボキシ基、置換若しくは無置換のカルバモイル基、又はシアノ基を表す。
Ｒ２、及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表す。
Ｒ４は水素原子、置換若しくは無置換のアルキルアミノ基、又は置換若しくは無置換のアリールアミノ基を表す。）
【００５７】
【化１１】
2013237807.tif 000012
【００５８】
（一般式（Ｂ−１）中、Ｒ１０、Ｒ１１及びＲ１２はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。ｐは１〜４の整数であり、ｑは０〜６の整数であり、ｒは１〜６の整数である。）
【００５９】
【化１２】
2013237807.tif 000013
【００６０】
（一般式（Ｂ−２）中、Ｒ２１、Ｒ２２及びＲ２３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表し、Ｑは置換若しくは無置換のアリール基、又は置換若しくは無置換のヘテロ環基を表し、ｍは１〜５の整数であり、ｎは０〜６の整数であり、ｏは０〜４の整数である。）
【００６１】
【化１３】
2013237807.tif 000014
【００６２】
（一般式（Ｂ−３）中、
Ｇ２は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｘ１、Ｘ２、Ｘ３、Ｘ４、及びＸ５はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｙ２、Ｙ３及びＹ４はそれぞれ独立に、水素原子、イオン性親水性基、置換又は無置換のヘテロ環アミノ基、置換又は無置換のカルバモイル基、置換又は無置換のスルファモイル基、置換又は無置換のアルキルスルホニルアミノ基、置換又は無置換のアリールスルホニルアミノ基、置換若しくは無置換のアシルアミノ基を表す。Ｙ２、Ｙ３及びＹ４の全てが同時に水素原子を表すことはない。
Ｍはそれぞれ独立に水素原子又は一価のカウンターカチオンを表す。）
【００６３】
従来の染料が単独で含有されるインクを使用した場合、染料の濃度及び添加剤を変化させても、印字物の色相は限定される。本願発明においては、インクが、第１の色材として一般式（Ａ−１）で表される化合物と、第２の色材として一般式（Ｂ−１）で表される化合物、一般式（Ｂ−２）で表される化合物、及び一般式（Ｂ−３）で表される化合物から選択される少なくとも１種の化合物を含有することにより、印字物が表現できる色相の範囲は極めて広いものとなる。また、上記第１の色材と第２の色材とを含有するインクを利用することにより、高い印字濃度（ＯＤ値）を得ることができる。
【００６４】
〔色材〕
（第１の色材）
本発明のインク組成物において第１の色材として使用するアゾ染料は、一般式（Ａ−１）で表される。以下に、一般式（Ａ−１）で表されるアゾ染料（ブラック）について説明する。
【００６５】
【化１４】
2013237807.tif 000015
【００６６】
（一般式（Ａ−１）中、
Ａ１は置換若しくは無置換のアリール基、又は置換若しくは無置換のヘテロ環基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｂ１、及びＢ２はそれぞれ独立に、窒素原子又は−Ｃ（Ｒ６１）＝を表す。Ｒ６１は、水素原子、アルキル基、スルホ基、カルボキシ基、置換若しくは無置換のカルバモイル基、又はシアノ基を表す。
Ｒ２、及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表す。
Ｒ４は水素原子、置換若しくは無置換のアルキルアミノ基、又は置換若しくは無置換のアリールアミノ基を表す。）
【００６７】
Ａ１は置換若しくは無置換のアリール基、又は置換若しくは無置換のヘテロ環基を表し、置換アリール基であることが好ましい。Ａ１が、置換基を有する場合の置換基としては、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、シアノ基、メタンスルホニル基、フェニルスルホニル基、ニトロ基、メトキシカルボニル基、カルバモイル基であることがより好ましく、イオン性親水性基、又はシアノ基であることがより好ましく、イオン親水性基であることが更に好ましい。
Ｒ１は無置換のアリール基を表し、フェニル基又はナフチル基が好ましい。
【００６８】
Ｇ１は窒素原子又は−Ｃ（Ｒ６０）＝を表し、窒素原子であることが好ましい。Ｒ６０は、水素原子、スルホ基、カルボキシ基、置換若しくは無置換のカルバモイル基、又はシアノ基を表し、カルバモイル基（−ＣＯＮＨ２基）又はシアノ基であることが好ましく、シアノ基であることがより好ましい。
【００６９】
Ｒ２、及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表し、置換若しくは無置換のアリールアミノ基であることが好ましい。置換若しくは無置換のフェニルアミノ基であることが好ましい。
【００７０】
Ｒ２、及びＲ３が、置換基を有する場合の置換基としては、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、シアノ基、メタンスルホニル基、フェニルスルホニル基、ニトロ基、メトキシカルボニル基、カルバモイル基であることがより好ましく、イオン性親水性基、又はシアノ基であることがより好ましく、イオン親水性基であることが更に好ましい。
【００７１】
Ｂ１、及びＢ２はそれぞれ独立に、窒素原子又は−Ｃ（Ｒ６１）＝を表し−Ｃ（Ｒ６１）＝であることが好ましい。Ｒ６１は、水素原子、アルキル基、スルホ基、カルボキシ基、置換若しくは無置換のカルバモイル基、又はシアノ基を表し、アルキル基又はシアノ基であることがより好ましい。
【００７２】
Ｒ４は水素原子、置換若しくは無置換のアルキルアミノ基、又は置換若しくは無置換のアリールアミノ基を表し置換若しくは無置換のアリールアミノ基であることが好ましい。置換若しくは無置換のフェニルアミノ基であることが好ましい。
Ｒ４が、置換基を有する場合の置換基としては、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、シアノ基、メタンスルホニル基、フェニルスルホニル基、ニトロ基、メトキシカルボニル基、カルバモイル基であることがより好ましく、イオン性親水性基、又はシアノ基であることがより好ましく、イオン親水性基であることが更に好ましい。
【００７３】
一般式（Ａ−１）で表される化合物は、下記一般式（Ａ−２）で表される化合物であることが好ましく、下記一般式（Ａ−３）で表される化合物であることが更に好ましい。
【００７４】
【化１５】
2013237807.tif 000016
（一般式（Ａ−２）中、Ａ１は置換若しくは無置換のアリール基、又は置換若しくは無置換のヘテロ環基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｍはそれぞれ独立に水素原子又は一価のカウンターカチオンを表す。）
【００７５】
一般式（Ａ−２）におけるＧ１、Ｒ１、及びＡ１は、前記一般式（Ａ−１）におけるＧ１、Ｒ１、及びＡ１と同義であり好ましいものも同様である。
【００７６】
【化１６】
2013237807.tif 000017
【００７７】
（一般式（Ａ−３）中、Ｘ１１、Ｘ１２、Ｘ１３、Ｘ１４、Ｘ１５、Ｘ１６及びＸ１７はそれぞれ独立に、水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｒ１は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｍはそれぞれ独立に水素原子又は一価のカウンターカチオンを表す。）
【００７８】
一般式（Ａ−３）におけるＧ１、及びＲ１は、前記一般式（Ａ−１）におけるＧ１、及びＲ１と同義であり好ましいものも同様である。
【００７９】
Ｘ１１、Ｘ１２、Ｘ１３、Ｘ１４、Ｘ１５、Ｘ１６、及びＸ１７はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表し、水素原子、イオン性親水性基、シアノ基、メタンスルホニル基、フェニルスルホニル基、ニトロ基、メトキシカルボニル基、カルバモイル基であることがより好ましく、水素原子、イオン性親水性基、又はシアノ基であることが特に好ましい。
一般式（Ａ−３）において、Ｘ１２、Ｘ１４、及びＸ１６はそれぞれ独立に、イオン性親水性基であることが好ましい。
【００８０】
色相、着色力、水溶性の貯蔵安定性の観点から、上記の中でも、Ｘ１２、Ｘ１４、及びＸ１６の少なくとも一つはイオン性親水性基であることが好ましく、Ｘ１２、Ｘ１４、及びＸ１６の少なくとも一つはハメットのσｐ値が０．３以上の電子求引性基であることが好ましく、Ｘ１４がハメットのσｐ値が０．３以上の電子求引性基であって、Ｘ１２、及びＸ１６がイオン性親水性基であることがより好ましい。イオン性親水性基としては、−ＳＯ３Ｍ１又は−ＣＯ２Ｍ１（Ｍ１は水素原子又は一価のカウンターカチオンを表す。）が好ましく、−ＳＯ３Ｍ１がより好ましく、−ＳＯ３Ｌｉが特に好ましい。
【００８１】
前記一般式（Ａ−１）、（Ａ−２）又は（Ａ−３）で表される化合物の具体例を以下に示すが、本発明に用いられる化合物は、下記の例に限定されるものではない。
なお、具体例中、Ｍは水素原子又は一価のカウンターカチオン（リチウムイオン、ナトリウムイオン、カリウムイオン、又はアンモニウムイオン）を表す。
【００８２】
【化１７】
2013237807.tif 000018
【００８３】
一般式（Ａ−１）〜（Ａ−３）で表される化合物は、ジアゾ成分とカプラーとのカップリング反応によって合成することができるが、それらについては、特開２００３−３０６６２３号や特願２００３−３５３４９８号に記載がある。
【００８４】
（第２の色材）
本発明のインク組成物は、第１の色材として、前記一般式（Ａ−１）で表される化合物を含有すると共に、第２の色材として、前記一般式（Ｂ−１）で表される化合物、前記一般式（Ｂ−２）で表される化合物及び前記一般式（Ｂ−３）で表される化合物より選択される少なくとも１種を含有することが必要である。
【００８５】
このように、一般式（Ａ−１）で表される第１の色材と一般式（Ｂ−１）で表される化合物、一般式（Ｂ−２）で表される化合物、及び一般式（Ｂ−３）より選択される第２の色材とを組み合わせて用いることで相乗効果が発揮され、以下のような効果を得ることができる。すなわち、これらの色材を含有させることで、高い着色力を有するブラックインク組成物とすることができるだけではなく、更に耐光性に優れた画像を与え、加えて、所望の色相を発現することができる。
【００８６】
（一般式（Ｂ−１）で表される化合物）
【００８７】
【化１８】
2013237807.tif 000019
【００８８】
（一般式（Ｂ−１）中、Ｒ１０、Ｒ１１及びＲ１２はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。ｐは１〜４の整数であり、ｑは０〜６の整数であり、ｒは１〜６の整数である。）
【００８９】
一般式（Ｂ−１）中、Ｒ１０、Ｒ１１及びＲ１２はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表し、置換若しくは無置換のアルキル基、置換若しくは無置換のアルコキシ基、ヒドロキシル基、置換若しくは無置換のアミノ基、又はイオン性親水性基であることが好ましい。
Ｒ１０、Ｒ１１及びＲ１２が置換基を有する場合の置換基としては、アルキル基、ヒドロキシル基、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、ヒドロキシル基、又はアルキル基であることがより好ましく、ヒドロキシル基、又はアルキル基であることが更に好ましい。
【００９０】
ｐは１〜４の整数であり、２又は３が好ましく、２がより好ましい。
ｑは０〜６の整数であり、１〜３が好ましく、１がより好ましい。
ｒは１〜６の整数であり、２〜４が好ましく、３がより好ましい。
【００９１】
一般式（Ｂ−１）で表される化合物は、下記一般式（Ｂ−１−１）で表される化合物または下記一般式（Ｂ−２−１）で表される化合物であることが好ましい。
【００９２】
【化１９】
2013237807.tif 000020
【００９３】
（一般式（Ｂ−１−１）中、Ｒ１３〜Ｒ１９はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。）
【００９４】
一般式（Ｂ−１−１）中、Ｒ１３〜Ｒ１９が置換基を有する場合の置換基としては、アルキル基、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、又はアルキル基であることがより好ましく、アルキル基であることが更に好ましい。
【００９５】
Ｒ１３、及びＲ１４はそれぞれ独立に、置換若しくは無置換のアルキル基ヒドロキシル基、置換若しくは無置換のアミノ基、又はイオン性親水性基であることが好ましく、イオン性親水性基であることがより好ましく、−ＳＯ３Ｍ又は−ＣＯ２Ｍが好ましく、−ＣＯ２Ｍがより好ましい。
【００９６】
Ｒ１５は水素原子、置換若しくは無置換のアルキル基、ヒドロキシル基、置換若しくは無置換のアミノ基、又はイオン性親水性基であることが好ましく、水素原子、又はヒドロキシル基であることがより好ましく、ヒドロキシル基であることが好ましい。
【００９７】
Ｒ１６は水素原子、置換若しくは無置換のアルキル基、ヒドロキシル基、置換若しくは無置換のアミノ基、又はイオン性親水性基であることが好ましく、水素原子、又は置換若しくは無置換のアミノ基、であることがより好ましく、置換若しくは無置換のアミノ基であることが更に好ましく、アルキルアミノ基であることが特に好ましい。
【００９８】
Ｒ１７、Ｒ１８、及びＲ１９はそれぞれ独立に水素原子、置換若しくは無置換のアルキル基ヒドロキシル基、置換若しくは無置換のアミノ基、又はイオン性親水性基であることが好ましく、水素原子、又はイオン性親水性基であることがより好ましく、−ＳＯ３Ｍ又は−ＣＯ２Ｍが好ましい。
【００９９】
一般式（Ｂ−１−１）中、Ｍは、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。
【０１００】
（一般式（Ｂ−２）で表される化合物）
【化２０】
2013237807.tif 000021
【０１０１】
（一般式（Ｂ−２）中、Ｒ２１、Ｒ２２及びＲ２３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表し、Ｑは置換若しくは無置換のアリール基、又は置換若しくは無置換のヘテロ環基を表し、ｍは１〜５の整数であり、ｎは０〜６の整数であり、ｏは０〜４の整数である。）
【０１０２】
一般式（Ｂ−２）中、Ｒ２１、Ｒ２２及びＲ２３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表し、置換若しくは無置換のアルキル基、置換若しくは無置換のアルコキシ基、ヒドロキシル基、置換若しくは無置換のアミノ基、ニトロ基又はイオン性親水性基であることが好ましい。
Ｒ２１、Ｒ２２及びＲ２３が置換基を有する場合の置換基としては、置換又は無置換のアルキル基、ヒドロキシル基、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、ヒドロキシル基、又は置換又は無置換のアルキル基であることがより好ましい。
【０１０３】
Ｑは置換若しくは無置換のアリール基、又は置換若しくは無置換のヘテロ環基を表す。置換若しくは無置換のアリール基として、好ましくは、炭素数６から３０の置換若しくは無置換のアリール基（例えば、フェニル基、ナフチル基）が挙げられる。置換若しくは無置換のヘテロ環基としては、５員又は６員環のものが好ましく、それらは更に縮環していてもよい。また、芳香族ヘテロ環であっても非芳香族ヘテロ環であっても良い。ヘテロ環基としては、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、ピラゾロン、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
Ｑは置換若しくは無置換のフェニル基又はオキソピラゾール基であることが好ましく、オキソピラゾール基であることがより好ましい。
Ｑが置換基を有する場合の置換基としては、置換又は無置換のアルキル基、ヒドロキシル基、イオン性親水性基、ジアゾ基、シアノ基、置換又は無置換のアリール基、置換又は無置換のアミノ基置換又は無置換のアルキルスルホニル基、置換又は無置換のアリールスルホニル基、ニトロ基、置換又は無置換のアルコキシカルボニル基、置換又は無置換のカルバモイル基、置換又は無置換のジアゾ基又は置換又は無置換のスルファモイル基であることが好ましく、イオン性親水性基、ヒドロキシル基、置換又は無置換のジアゾ基、置換又は無置換のアリール基、置換又は無置換のアミノ基又はアルキル基であることがより好ましい。
【０１０４】
ｍは１〜５の整数であり、１〜３が好ましく、２がより好ましい。
ｎは０〜６の整数であり、２〜５が好ましく、４がより好ましい。
ｏは０〜４の整数であり、１〜３が好ましく、１又は２がより好ましい。
【０１０５】
一般式（Ｂ−２）で表される化合物は、下記一般式（Ｂ−２−１）で表される化合物または下記一般式（Ｂ−２−２）で表される化合物であることが好ましい。
【０１０６】
【化２１】
2013237807.tif 000022
【０１０７】
（一般式（Ｂ−２−１）中、Ｒ２４〜Ｒ３３はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、置換若しくは無置換のアミノ基、又はイオン性親水性基を表す。）
【０１０８】
一般式（Ｂ−２−１）中、Ｒ２４〜Ｒ３２が置換基を有する場合の置換基としては、アルキル基、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、又はアルキル基であることがより好ましく、アルキル基であることが更に好ましい。
【０１０９】
Ｒ２５、Ｒ３０、Ｒ３２、及びＲ３３はそれぞれ独立に、置換若しくは無置換のアルキル基、ヒドロキシル基、置換若しくは無置換のアミノ基、又はイオン性親水性基であることが好ましく、イオン性親水性基であることがより好ましく、−ＳＯ３Ｍ又は−ＣＯ２Ｍが好ましく、−ＳＯ３Ｍがより好ましい。
【０１１０】
Ｒ２９は、置換若しくは無置換のアルキル基、ヒドロキシル基、置換若しくは無置換のアミノ基、又はイオン性親水性基であることが好ましく、イオン性親水性基であることがより好ましく、−ＳＯ３Ｍ又は−ＣＯ２Ｍが好ましく、−ＣＯ２Ｍがより好ましい。
【０１１１】
Ｒ２６、及びＲ２７はそれぞれ独立に、水素原子、置換若しくは無置換のアルキル基、ヒドロキシル基、置換若しくは無置換のアミノ基、又はイオン性親水性基であることが好ましく、水素原子、又はヒドロキシル基であることがより好ましく、ヒドロキシル基であることが好ましい。
【０１１２】
Ｒ２８、及びＲ３１はそれぞれ独立に、水素原子、置換若しくは無置換のアルキル基、ヒドロキシル基、置換若しくは無置換のアミノ基、又はイオン性親水性基であることが好ましく、置換若しくは無置換のアルコキシ基であることがより好ましく、置換アルコキシ基であることが更に好ましく、ヒドロキシ基で置換されたアルコキシ基（好ましくは炭素原子数１〜３）であることが特に好ましい。
【０１１３】
一般式（Ｂ−２−１）中、Ｍは、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。
【０１１４】
【化２２】
2013237807.tif 000023
【０１１５】
（一般式（Ｂ−２−２）中、Ｒ２４〜Ｒ２８及びＲ３２〜Ｒ３４はそれぞれ独立に水素原子、置換若しくは無置換のアルキル基、置換若しくは無置換のアルコキシ基、置換若しくは無置換のアリール基、置換若しくは無置換のヘテロ環基、ヒドロキシル基、ニトロ基、置換若しくは無置換のアミノ基、又はイオン性親水性基を表す。ｓは０〜５の整数である。）
【０１１６】
一般式（Ｂ−２−２）中、Ｒ２４〜Ｒ２８及びＲ３２〜Ｒ３４が置換基を有する場合の置換基としては、アルキル基、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、又はアルキル基であることがより好ましく、アルキル基であることが更に好ましい。
【０１１７】
Ｒ２５、Ｒ２８、Ｒ３２、及びＲ３３はそれぞれ独立に、置換若しくは無置換のアルキル基、ヒドロキシル基、置換若しくは無置換のアミノ基、又はイオン性親水性基であることが好ましく、イオン性親水性基であることがより好ましく、−ＳＯ３Ｍ又は−ＣＯ２Ｍが好ましく、−ＳＯ３Ｍがより好ましい。
【０１１８】
Ｒ２６、及びＲ２７はそれぞれ独立に、水素原子、置換若しくは無置換のアルキル基、ヒドロキシル基、置換若しくは無置換のアミノ基、又はイオン性親水性基であることが好ましく、水素原子、又はヒドロキシル基であることがより好ましく、ヒドロキシル基であることが好ましい。
【０１１９】
Ｒ３４はそれぞれ独立に、水素原子、置換若しくは無置換のアルキル基、ヒドロキシル基、置換若しくは無置換のアミノ基、又はイオン性親水性基であることが好ましく、ヒドロキシル基、置換若しくは無置換のアミノ基、又はイオン性親水性基であることがより好ましい。
ｓは０〜５の整数であり、１〜３であることが好ましく、２であることがより好ましい。
【０１２０】
一般式（Ｂ−２−２）中、Ｍは、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。
【０１２１】
（一般式（Ｂ−３）で表される化合物）
【０１２２】
【化２３】
2013237807.tif 000024
【０１２３】
（一般式（Ｂ−３）中、
Ｇ２は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｘ１、Ｘ２、Ｘ３、Ｘ４、及びＸ５はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｙ２、Ｙ３及びＹ４はそれぞれ独立に、水素原子、イオン性親水性基、置換又は無置換のヘテロ環アミノ基、置換又は無置換のカルバモイル基、置換又は無置換のスルファモイル基、置換又は無置換のアルキルスルホニルアミノ基、置換又は無置換のアリールスルホニルアミノ基、置換若しくは無置換のアシルアミノ基を表す。Ｙ２、Ｙ３及びＹ４の全てが同時に水素原子を表すことはない。
Ｍはそれぞれ独立に水素原子又は一価のカウンターカチオンを表す。）
【０１２４】
Ｇ２は窒素原子又は−Ｃ（Ｒ６０）＝を表し、−Ｃ（Ｒ６０）＝であることが好ましい。Ｒ６０は、水素原子、スルホ基、カルボキシ基、置換若しくは無置換のカルバモイル基、又はシアノ基を表し、カルバモイル基（−ＣＯＮＨ２基）又はシアノ基であることが好ましく、シアノ基であることがより好ましい。
【０１２５】
Ｘ１、Ｘ２、Ｘ３、Ｘ４、及びＸ５はそれぞれ独立に、水素原子、イオン性親水性基、シアノ基、メタンスルホニル基、フェニルスルホニル基、ニトロ基、メトキシカルボニル基、カルバモイル基であることが好ましく、水素原子、イオン性親水性基、又はシアノ基であることが特に好ましい。更に、Ｘ１、Ｘ２、Ｘ３、及びＸ４が水素原子であって、Ｘ５がハメットのσｐ値が０．３以上の電子求引性基を表すことが好ましく、Ｘ５がシアノ基であることがより好ましい。
【０１２６】
Ｙ２、Ｙ３及びＹ４はそれぞれ独立に、水素原子、イオン性親水性基、置換又は無置換のヘテロ環アミノ基、置換又は無置換のカルバモイル基、置換又は無置換のスルファモイル基、置換又は無置換のアルキルスルホニルアミノ基、置換又は無置換のアリールスルホニルアミノ基、置換若しくは無置換のアシルアミノ基を表し、水素原子、置換又は無置換のアミノ基を置換基として有するヘテロ環アミノ基、イオン性親水性基、置換又は無置換のアルキルスルホニルアミノ基、置換又は無置換のアリールスルホニルアミノ基、置換若しくは無置換のアシルアミノ基を表が好ましく、水素原子、置換又は無置換のアミノ基を置換基として有するヘテロ環アミノ基、イオン性親水性基を置換基として有するアリールスルホニルアミノ基、イオン性親水性基を置換基として有するアシルアミノ基のいずれかであることが特に好ましい。
アシルアミノ基としては、アルキルカルボニルアミノ基、イオン性親水性基を置換基として有するアルキルカルボニルアミノ基、イオン性親水性基を置換基として有するアリールカルボニルアミノ基が好ましい。該アルキルカルボニルアミノ基におけるアルキル基としては、メチル基、エチル基、又はｎ−プロピル基が好ましく、エチル基がより好ましい。該アリールカルボニルアミノ基におけるアリール基としてはフェニル基が好ましい。
【０１２７】
Ｙ２、Ｙ３、及びＹ４が表すヘテロ環アミノ基、スルファモイル基、アルキルスルホニルアミノ基、アリールスルホニルアミノ基、アシルアミノ基が置換基を有する場合の置換基としては、それぞれ独立に、イオン性親水性基（例えば、−ＣＯ２Ｍ、−ＳＯ３Ｍ：水素原子又はＭは一価のカウンターカチオン）であることがより好ましい。
Ｙ２、Ｙ３、及びＹ４は、互いに結合して環を形成しても良く、Ｙ２、Ｙ３、及びＹ４が互いに結合して形成する環としては、例えばベンゼン環、ナフタレン環が挙げられ、ベンゼン環であることが好ましい。
【０１２８】
Ｙ２、Ｙ３、及びＹ４は更に置換基を有していてもよく、更なる置換基としては、水酸基、置換又は無置換のアミノ基又はイオン性親水性基を有していてもよいアリール基、イオン性親水性基を有していてもよいヘテロ環基を挙げることができ、置換又は無置換のアミノ基であることが好ましい。該置換アミノ基の置換基としては、例えば、置換又は無置換のアルキル基、置換又は無置換のアリール基、置換又は無置換のヘテロ環基であることが好ましく、イオン性親水性基で置換されたアルキル基、又はイオン性親水性基で置換されたアリール基であることがより好ましい。
【０１２９】
Ｙ２、及びＹ４は水素原子を表し、Ｙ３は置換又は無置換のアミノ基を置換として有するヘテロ環アミノ基、イオン性親水性基を置換基として有するアリールスルホニルアミノ基、又はイオン性親水性基を置換基として有するアシルアミノ基であることが最も好ましい。
【０１３０】
Ｍはそれぞれ独立に水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、リチウム塩又はリチウム塩を主成分とする混合塩が更に好ましく、リチウム塩が最も好ましい。
【０１３１】
【化２４】
2013237807.tif 000025
【０１３２】
（一般式（Ｂ−３−１）中、Ｒ３５、Ｒ３６、Ｒ３７、及びＲ３８は、それぞれ独立に水素原子、置換若しくは無置換のアルキル基、置換若しくは無置換のアリール基、又は置換もしくは無置換のヘテロ環基を表す。Ｘ１、Ｘ２、Ｘ３、Ｘ４、及びＸ5はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基を表す。
Ｍはそれぞれ独立に水素原子又は一価のカウンターカチオンを表す。）
【０１３３】
Ｒ３５、Ｒ３６、Ｒ３７、及びＲ３８は、置換若しくは無置換のアルキル基、置換若しくは無置換のアリール基、又は置換もしくは無置換のヘテロ環基を表し、置換若しくは無置換のアルキル基、置換若しくは無置換のアリール基、又は置換もしくは無置換のヘテロ環基が好ましく、イオン性親水性基で置換されたアルキル基、又はイオン性親水性基で置換されたアリール基であることがより好ましい。
Ｒ３５、Ｒ３６において、一方が水素原子、他方が水素原子又はイオン性親水性基を有するアルキル基、又はイオン性親水性基を有するアリール基が好ましい。Ｒ３７、Ｒ３８においても、一方が水素原子、他方が水素原子又はイオン性親水性基を有するアルキル基、又はイオン性親水性基を有するアリール基が好ましい。
【０１３４】
特に、s-トリアジン環上のアミノ基の置換基（Ｒ３５とＲ３６）の一方が水素原子、他方がイオン性親水性基を有するアルキル基、又はイオン性親水性基を有するアリール基で、（Ｒ３７とＲ３８）の一方が水素原子、他方がイオン性親水性基を有するアルキル基、又はイオン性親水性基を有するアリール基の組み合わせとなることで、染料の水溶性と水溶液中での染料の会合性向上（染料分子の相互作用が向上）することで、着色組成物及びインクジェット用水溶性インクに要求される、水溶性インクの貯蔵安定性（色素の析出防止・色素の分解抑制）を大幅に向上させることができる点から好ましい。
【０１３５】
Ｘ１、Ｘ２、Ｘ３、Ｘ４、及びＸ５はそれぞれ独立に、水素原子、イオン性親水性基、シアノ基、メタンスルホニル基、フェニルスルホニル基、ニトロ基、メトキシカルボニル基、カルバモイル基であり、水素原子、イオン性親水性基、又はシアノ基であることが特に好ましい。更に、Ｘ１、Ｘ２、Ｘ３、及びＸ４が水素原子であって、Ｘ５がハメットのσｐ値が０．３以上の電子求引性基を表すことが好ましく、Ｘ５がシアノ基であることがより好ましい。
【０１３６】
次に本発明の前記一般式（Ｂ−１）で表される化合物、前記一般式（Ｂ−２）で表される化合物及び前記一般式（Ｂ−３）で表される化合物の具体例を下記表に示す。
【０１３７】
一般式（Ｂ−１）で表される化合物の具体例：
【０１３８】
【化２５】
2013237807.tif 000026
【０１３９】
一般式（Ｂ−２）で表される化合物の具体例：
【０１４０】
【化２６】
2013237807.tif 000027
【０１４１】
一般式（Ｂ−３）で表される化合物の具体例：
【０１４２】
【化２７】
2013237807.tif 000028
【０１４３】
【化２８】
2013237807.tif 000029
【０１４４】
【化２９】
2013237807.tif 000030
【０１４５】
【化３０】
2013237807.tif 000031
【０１４６】
【化３１】
2013237807.tif 000032
【０１４７】
前記一般式（Ｂ−３）で表されるアゾ化合物は、ジアゾ成分とカプラーとのカップリング反応によって合成することができるが、それらについては、特開２００３−３０６６２３号や特願２００３−３５３４９８号に記載がある。
【０１４８】
〔色材の含有量〕
【０１４９】
本発明のインク組成物は、前記第１の色材（染料）及び第２の色材（染料）とを、例えば水性媒体中に溶解してなる。
一般式（Ａ−１）で表される染料（第１の色材）の含有量は、インク組成物全量に対し、好ましくは、０．１〜１５．０質量％であり、より好ましくは、０．５〜１３．５質量％であり、更に好ましくは１．０〜１２．０質量％でありる。当該染料を使用することで、得られる画像のにじみや色移りを抑制することができ、また良好な色相や色濃度を有する品質とすることができる。更に、一般的なアゾ染料に比して、光、熱、空気、水、薬品等に対する堅牢性に優れるため、インク及び記録画像の保存安定性に寄与する。
【０１５０】
一般式（Ｂ−１）又は一般式（Ｂ−３）で表される染料（第２の色材）の含有量は、インク組成物全量に対し、好ましくは、０．１〜１５．０質量％であり、より好ましくは、０．５〜１３．５質量％であり、更に好ましくは１．０〜１２．０質量％であり、特に好ましくは３．５質量％〜１２．０質量％である。当該第２の色材を第１の色材と組み合わせて使用することで、所望の色相を得ることができる。
なお、この場合の第２の色材の含有量は、下記のようにすることが、より好ましい。一般式（Ｂ−１）で表される化合物を単独で用いる場合はその含有量が、また、一般式（Ｂ−１）で表される化合物、一般式（Ｂ−２）で表される化合物、及び一般式（Ｂ−３）で表される化合物のうち、２種以上を併用する場合はその合計含有量が、それぞれ上記の範囲を満足するように構成することが好ましい。第１の色材及び第２の色材の含有量を上述の範囲とすることで、それぞれ単独の色材を用いた場合には発現できなかった領域での発色が可能となった。さらに、画像の対光性と色調を満足させるだけではなく、色濃度や色再現性といったインクの性能も満足させることが可能となる。
【０１５１】
また本発明のインク組成物は、インクジェット記録用インクとして用いられることが好ましい。すなわち、本発明は、本発明のインク組成物を含有するインクジェット記録用インクにも関する。インクジェット記録用インクにおける一般式（Ａ−１）で表される第１の色材及び一般式（Ｂ−１）、一般式（Ｂ−１）で表される化合物、一般式（Ｂ−２）で表される化合物、及び一般式（Ｂ−３）で表される化合物より選択される第２の色材の含有量は、上記インク組成物中における含有量と同様である。
本発明のインクジェット記録用インクは、インクジェット記録用インクの原液を水等により希釈して調製してもよい。また本発明のインクジェット記録用インクには、本発明のインク組成物が含有していてもよい後述の成分を同様に含ませることができる。
【０１５２】
インク組成物中における一般式（Ａ−１）で表される第１の色材の含有量は、第２の色材の含有量に対して、質量比率で、（第１の色材／第２の色材）＝０．１以上１０．０以下であることが好ましい。色材の含有量の質量比率を上記範囲となるように構成することで、予測される性能をはるかに上回る所望の色相を発現することができる。
本発明においては更に、第１の色材の含有量は、第２の色材の含有量に対して、質量比率で、（第１の色材／第２の色材）＝０．２以上８以下がより好ましく、０．３以上６以下が更に好ましい。この割合とすることで、堅牢性及び印字濃度等の点でより優れた効果を得ることができ、加えて、インクとしての信頼性も十分に満足することが可能となる。
【０１５３】
質量比率が０．１以上であると、インク溶液の保存安定性が向上し、１０．０以下であれば、インク組成物の水溶液安定性に優れる。色材の含有量の質量比率を上記範囲となるように構成することで、第１の色材が有する色相・色濃度と、第２の色材が有する色相・色濃度との組み合わせから予測される性能を上回る高いレベルの色相・色濃度の制御を達成することができる。また、好ましい色相の画像が得られ、インクとしての信頼性も満足できる。
【０１５４】
第１の色材と第２の色材とを併用することで、相乗効果が発揮され、予測を上回る色相・色濃度の制御を達成できる理由を本発明者らは以下のように推測している。第１の色材は、もともと水性媒体に対する溶解性が低い傾向があるため、これらの化合物を含有するインク組成物を用いたインクを記録媒体に付与すると、その直後から速やかに色材の会合や凝集が起こる。会合や凝集は、画像を形成している記録媒体上の色材の堅牢性を向上させる傾向がある。しかし、その一方で、過度の会合や凝集は、水溶液及びインク溶液への溶解性を低下させ、色相・色濃度を低下させる場合がある。これに対し、第１の色材と第２の色材とを共存させることで第１の色材と第２の色材とで適度な会合・凝集が起こり、記録媒体上で、第１の色材と第２の色材が色相・色濃度に関して最適な会合や凝集の状態を形成し、これにより、画像の色相・色濃度が向上したものと考えられる。このメカニズムは堅牢性（耐光性、耐オゾン性）の向上にも当てはまる。
【０１５５】
また、第１の色材と第２の色材とを特定の質量比率で用いることで、相乗効果が発揮され、インク組成物を用いたインクの信頼性が達成される理由を本発明者らは以下のように推測している。上記で述べた通り、インク中には、インクカートリッジやインク供給経路を構成する部材から溶出したと考えられる不純物が混入し、インク供給経路の目詰まりやインク供給特性の低下、インク保存安定性の低下の原因となる場合がある。本発明者らは検討の結果、第一の色材構造に類似の第二の色材をインク中に共存させることにより、インクの着色力を低下させること無く、第一の色材の結晶化抑制を付与することができ、インクの貯蔵安定性を大幅に向上させることができたと考えている。つまり、色材として第１の色材のみを使用することでは達成が困難であったインクの信頼性に関して、第２の色材を併用することにより、予想を上回る効果が得られ、十分な信頼性を達成することができるのである。
【０１５６】
また、インク組成物中の第１の色材と、第２の色材との含有量の合計（質量％）が、インク組成物全質量を基準として、０．１質量％以上２０．０質量％以下であることが好ましく、特に２．０質量％以上１５．０質量％以下であることが好ましい。含有量の合計が２．０質量％以上であれば、耐光性及び発色性が十分に得られ、含有量の合計が１５．０質量％以下であれば、インク中に不溶物の析出等が無くインクジェット吐出特性に優れる。
【０１５７】
本発明のインク組成物は、インク原料として、着色剤を高い濃度で含む濃厚水溶液とすることができる。濃厚水溶液の着色剤濃度は１５質量％以下、好ましくは１２質量％以下であることが染料の経時安定性、取り扱いの容易さ（粘度）の点で好ましく、染料の経時安定性の向上や輸送コストの抑制の観点から、８質量％以上の濃度であることが好ましい。
また、本発明のインク組成物は、インクジェット用インクとすることもできる。インクジェット用インクの着色剤濃度はインク粘度や、印画物の濃度の点で、１〜１２質量％が好ましく、２〜８質量％がより好ましく、３〜６質量％が特に好ましい。３質量％以上とすることで紙上に明瞭な印字を行うことができ、６質量％以下とすることで、高濃度によるインクの析出やそれによるプリンタからの印字不良を防ぐことができる。また、高濃度では、紙に印刷した際に金属光沢が生じたり、粘度が上がることにより均一にインクが印字されなくなる問題が生じる。
【０１５８】
前記した第１の色材と第３の色材とを特定の質量比で用いることで、相乗効果が発揮され、予測を上回る耐水性、耐光性、耐オゾン性、色調、濃度、紙依存性も改良が得られる理由は明確には明らかではないが、本発明者らは以下のように推測している。
【０１５９】
一般式（Ａ−１）で表される化合物は、分子間相互作用が働き易く、もともと水への溶解性が低い。そのため、これらの化合物を含有するインクを記録媒体に付与すると、その直後から速やかに水溶性染料の会合や凝集、或いは受像層構成素材との相互作用も起こり易い。会合や凝集は、画像を形成している記録媒体上の水溶性染料の堅牢性を向上させる傾向があるため好ましいが、一方で、過度の会合や凝集は、化合物本来の耐光性の能力を低下させる場合がある。これに対して、一般式（Ｂ−１）より選択される化合物が堅牢性や浸透性に関して最適な会合や凝集の状態を形成し、受像層構成素材との相互作用をも適度に抑制するため、印字濃度までもが、これにより向上したものと考えられる。
【０１６０】
なお、本発明のインクジェット用インクはブラックインクであるが、ブラックインクとして好ましい色調とは、以下の二つのことを意味する。すなわち、ブラックインクのみを用いて形成した画像が赤味や緑味を帯びていないことを意味する。更に、これに加えて、ブラックインクを用いて形成する２次色の画像、の色域をいずれも大きく損失することがない色調を有することを意味する。
【０１６１】
本発明のインク組成物（好ましくはインクジェット記録用インク）には、前記第１の色材及び前記第２の色材とともに、色調を整えるためや性能のバランスをとるために他の染料を併用してもよい。また、フルカラーの画像を得る目的で、本発明のインク組成物とともに他の染料や色素を含むインクを併用してもよい。併用することが出来る染料や色素の例としては以下を挙げることが出来る。
【０１６２】
イエロー染料としては、例えばカップリング成分としてフェノール類、ナフトール類、アニリン類、ピラゾロン類、ピリドン類、開鎖型活性メチレン化合物類を有するアリール若しくはヘテリルアゾ染料；例えばカップリング成分として開鎖型活性メチレン化合物類を有するアゾメチン染料；例えばベンジリデン染料やモノメチンオキソノール染料等のようなメチン染料；例えばナフトキノン染料、アントラキノン染料等のようなキノン系染料などがあり、これ以外の染料種としてはキノフタロン染料、ニトロ・ニトロソ染料、アクリジン染料、アクリジノン染料等を挙げることができる。これらの染料は、クロモフォアの一部が解離して初めてイエローを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
【０１６３】
マゼンタ染料としては、例えばカップリング成分としてフェノール類、ナフトール類、アニリン類を有するアリール若しくはヘテリルアゾ染料；例えばカップリング成分としてピラゾロン類、ピラゾロトリアゾール類を有するアゾメチン染料；例えばアリーリデン染料、スチリル染料、メロシアニン染料、オキソノール染料のようなメチン染料；ジフェニルメタン染料、トリフェニルメタン染料、キサンテン染料のようなカルボニウム染料、例えばナフトキノン、アントラキノン、アントラピリドンなどのようなキノン系染料、例えばジオキサジン染料等のような縮合多環系染料等を挙げることができる。これらの染料は、クロモフォアの一部が解離して初めてマゼンタを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
【０１６４】
シアン染料としては、例えばインドアニリン染料、インドフェノール染料のようなアゾメチン染料；シアニン染料、オキソノール染料、メロシアニン染料のようなポリメチン染料；ジフェニルメタン染料、トリフェニルメタン染料、キサンテン染料のようなカルボニウム染料；フタロシアニン染料；アントラキノン染料；例えばカップリング成分としてフェノール類、ナフトール類、アニリン類を有するアリール若しくはヘテリルアゾ染料、インジゴ・チオインジゴ染料を挙げることができる。これらの染料は、クロモフォアの一部が解離して初めてシアンを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
また、ポリアゾ染料などのブラック染料も使用することができる。
【０１６５】
水溶性染料としては、直接染料、酸性染料、食用染料、塩基性染料、反応性染料等が挙げられる。好ましいものとしては、Ｃ．Ｉ．ダイレクトレッド２、４、９、２３、２６、３１、３９、６２、６３、７２、７５、７６、７９、８０、８１、８３、８４、８９、９２、９５、１１１、１７３、１８４、２０７、２１１、２１２、２１４、２１８、２１、２２３、２２４、２２５、２２６、２２７、２３２、２３３、２４０、２４１、２４２、２４３、２４７Ｃ．Ｉ．ダイレクトバイオレット７、９、４７、４８、５１、６６、９０、９３、９４、９５、９８、１００、１０１Ｃ．Ｉ．ダイレクトイエロー８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４２、１４４、１６１、１６３Ｃ．Ｉ．ダイレクトブルー１、１０、１５、２２、２５、５５、６７、６８、７１、７６、７７、７８、８０、８４、８６、８７、９０、９８、１０６、１０８、１０９、１５１、１５６、１５８、１５９、１６０、１６８、１８９、１９２、１９３、１９４、１９９、２００、２０１、２０２、２０３、２０７、２１１、２１３、２１４、２１８、２２５、２２９、２３６、２３７、２４４、２４８、２４９、２５１、２５２、２６４、２７０、２８０、２８８、２８９、２９１Ｃ．Ｉ．ダイレクトブラック９、１７、１９、２２、３２、５１、５６、６２、６９、７７、８０、９１、９４、９７、１０８、１１２、１１３、１１４、１１７、１１８、１２１、１２２、１２５、１３２、１４６、１５４、１６６、１６８、１７３、１９９Ｃ．Ｉ．アシッドレッド３５、４２、５２、５７、６２、８０、８２、１１１、１１４、１１８、１１９、１２７、１２８、１３１、１４３、１５１、１５４、１５８、２４９、２５４、２５７、２６１、２６３、２６６、２８９、２９９、３０１、３０５、３３６、３３７、３６１、３９６、３９７Ｃ．Ｉ．アシッドバイオレット５、３４、４３、４７、４８、９０、１０３、１２６Ｃ．Ｉ．アシッドイエロー１７、１９、２３、２５、３９、４０、４２、４４、４９、５０、６１、６４、７６、７９、１１０、１２７、１３５、１４３、１５１、１５９、１６９、１７４、１９０、１９５、１９６、１９７、１９９、２１８、２１９、２２２、２２７Ｃ．Ｉ．アシッドブルー９、２５、４０、４１、６２、７２、７６、７８、８０、８２、９２、１０６、１１２、１１３、１２０、１２７：１、１２９、１３８、１４３、１７５、１８１、２０５、２０７、２２０、２２１、２３０、２３２、２４７、２５８、２６０、２６４、２７１、２７７、２７８、２７９、２８０、２８８、２９０、３２６Ｃ．Ｉ．アシッドブラック７、２４、２９、４８、５２：１、１７２Ｃ．Ｉ．リアクティブレッド３、１３、１７、１９、２１、２２、２３、２４、２９、３５、３７、４０、４１、４３、４５、４９、５５Ｃ．Ｉ．リアクティブバイオレット１、３、４、５、６、７、８、９、１６、１７、２２、２３、２４、２６、２７、３３、３４Ｃ．Ｉ．リアクティブイエロー２、３、１３、１４、１５、１７、１８、２３、２４、２５、２６、２７、２９、３５、３７、４１、４２Ｃ．Ｉ．リアクティブブルー２、３、５、８、１０、１３、１４、１５、１７、１８、１９、２１、２５、２６、２７、２８、２９、３８Ｃ．Ｉ．リアクティブブラック４、５、８、１４、２１、２３、２６、３１、３２、３４Ｃ．Ｉ．ベーシックレッド１２、１３、１４、１５、１８、２２、２３、２４、２５、２７、２９、３５、３６、３８、３９、４５、４６Ｃ．Ｉ．ベーシックバイオレット１、２、３、７、１０、１５、１６、２０、２１、２５、２７、２８、３５、３７、３９、４０、４８Ｃ．Ｉ．ベーシックイエロー１、２、４、１１、１３、１４、１５、１９、２１、２３、２４、２５、２８、２９、３２、３６、３９、４０Ｃ．Ｉ．ベーシックブルー１、３、５、７、９、２２、２６、４１、４５、４６、４７、５４、５７、６０、６２、６５、６６、６９、７１Ｃ．Ｉ．ベーシックブラック８、等が挙げられる。
【０１６６】
更に本発明のインクには、顔料も併用し得る。
本技術に用いられる顔料としては、市販のものの他、各種文献に記載されている公知のものが利用できる。文献に関してはカラーインデックス（Ｔｈｅ  Ｓｏｃｉｅｔｙ  ｏｆ  Ｄｙｅｒｓ  ａｎｄ  Ｃｏｌｏｕｒｉｓｔｓ編）、「改訂新版顔料便覧」日本顔料技術協会編（１９８９年刊）、「最新顔料応用技術」ＣＭＣ出版（１９８６年刊）、「印刷インキ技術」ＣＭＣ出版（１９８４年刊）、Ｗ．Ｈｅｒｂｓｔ，Ｋ．Ｈｕｎｇｅｒ共著によるＩｎｄｕｓｔｒｉａｌ  Ｏｒｇａｎｉｃ  Ｐｉｇｍｅｎｔｓ  （ＶＣＨ  Ｖｅｒｌａｇｓｇｅｓｅｌｌｓｃｈａｆｔ、１９９３年刊）等がある。具体的には、有機顔料ではアゾ顔料（アゾレーキ顔料、不溶性アゾ顔料、縮合アゾ顔料、キレートアゾ顔料）、多環式顔料（フタロシアニン系顔料、アントラキノン系顔料、ペリレン及びペリノン系顔料、インジゴ系顔料、キナクリドン系顔料、ジオキサジン系顔料、イソインドリノン系顔料、キノフタロン系顔料、ジケトピロロピロール系顔料等）、染付けレーキ顔料（酸性又は塩基性染料のレーキ顔料）、アジン顔料等があり、無機顔料では、黄色顔料のＣ．Ｉ．Ｐｉｇｍｅｎｔ  Ｙｅｌｌｏｗ  ３４，３７，４２，５３など、赤系顔料のＣ．Ｉ．Ｐｉｇｍｅｎｔ  Ｒｅｄ  １０１，１０８など、青系顔料のＣ．Ｉ．Ｐｉｇｍｅｎｔ  Ｂｌｕｅ  ２７，２９，１７：１など、黒系顔料のＣ．Ｉ．Ｐｉｇｍｅｎｔ  Ｂｌａｃｋ  ７，マグネタイトなど、白系顔料のＣ．Ｉ．  Ｐｉｇｍｅｎｔ  Ｗｈｉｔｅ  ４，６，１８，２１などを挙げることができる。
【０１６７】
画像形成用に好ましい色調を持つ顔料としては、青ないしシアン顔料ではフタロシアニン顔料、アントラキノン系のインダントロン顔料（たとえばＣ．Ｉ．Ｐｉｇｍｅｎｔ  Ｂｌｕｅ  ６０など）、染め付けレーキ顔料系のトリアリールカルボニウム顔料が好ましく、特にフタロシアニン顔料（好ましい例としては、Ｃ．Ｉ．Ｐｉｇｍｅｎｔ  Ｂｌｕｅ  １５：１、同１５：２、同１５：３、同１５：４、同１５：６などの銅フタロシアニン、モノクロロないし低塩素化銅フタロシアニン、アルニウムフタロシアニンでは欧州特許８６０４７５号に記載の顔料、Ｃ．Ｉ．Ｐｉｇｍｅｎｔ  Ｂｌｕｅ  １６である無金属フタロシアニン、中心金属がＺｎ、Ｎｉ、Ｔｉであるフタロシアニンなど、中でも好ましいものはＣ．Ｉ．Ｐｉｇｍｅｎｔ  Ｂｌｕｅ  １５：３、同１５：４、アルミニウムフタロシアニン）が最も好ましい。
【０１６８】
赤ないし紫色の顔料では、アゾ顔料（好ましい例としては、Ｃ．Ｉ．Ｐｉｇｍｅｎｔ  Ｒｅｄ  ３、同５、同１１、同２２、同３８、同４８：１、同４８：２、同４８：３、同４８：４、同４９：１、同５２：１、同５３：１、同５７：１、同６３：２、同１４４、同１４６、同１８４）など、中でも好ましいものはＣ．Ｉ．Ｐｉｇｍｅｎｔ  Ｒｅｄ  ５７：１、同１４６、同１８４）、キナクリドン系顔料（好ましい例としてはＣ．Ｉ．Ｐｉｇｍｅｎｔ  Ｒｅｄ  １２２、同１９２、同２０２、同２０７、同２０９、Ｃ．Ｉ．Ｐｉｇｍｅｎｔ  Ｖｉｏｌｅｔ  １９、同４２、なかでも好ましいものはＣ．Ｉ．Ｐｉｇｍｅｎｔ  Ｒｅｄ  １２２）、染め付けレーキ顔料系のトリアリールカルボニウム顔料（好ましい例としてはキサンテン系のＣ．Ｉ．Ｐｉｇｍｅｎｔ  Ｒｅｄ  ８１：１、Ｃ．Ｉ．Ｐｉｇｍｅｎｔ  Ｖｉｏｌｅｔ  １、同２、同３、同２７、同３９）、ジオキサジン系顔料（例えばＣ．Ｉ．Ｐｉｇｍｅｎｔ  Ｖｉｏｌｅｔ  ２３、同３７）、ジケトピロロピロール系顔料（例えばＣ．Ｉ．Ｐｉｇｍｅｎｔ  Ｒｅｄ  ２５４）、ペリレン顔料（例えばＣ．Ｉ．Ｐｉｇｍｅｎｔ  Ｖｉｏｌｅｔ  ２９）、アントラキノン系顔料（例えばＣ．Ｉ．Ｐｉｇｍｅｎｔ  Ｖｉｏｌｅｔ  ５：１、同３１、同３３）、チオインジゴ系（例えばＣ．Ｉ．Ｐｉｇｍｅｎｔ  Ｒｅｄ  ３８、同８８）が好ましく用いられる。
【０１６９】
黄色顔料としては、アゾ顔料（好ましい例としてはモノアゾ顔料系のＣ．Ｉ．Ｐｉｇｍｅｎｔ  Ｙｅｌｌｏｗ  １，３，７４，９８、ジスアゾ顔料系のＣ．Ｉ．ＰｉｇｍｅｎｔＹｅｌｌｏｗ  １２，１３，１４，１６，１７，８３、総合アゾ系のＣ．Ｉ．Ｐｉｇｍｅｎｔ  Ｙｅｌｌｏｗ  ９３，９４，９５，１２８，１５５、ベンズイミダゾロン系のＣ．Ｉ．Ｐｉｇｍｅｎｔ  Ｙｅｌｌｏｗ  １２０，１５１，１５４，１５６，１８０など、なかでも好ましいものはベンジジン系化合物を原料に使用しないもの）、イソインドリン・イソインドリノン系顔料（好ましい例としてはＣ．Ｉ．Ｐｉｇｍｅｎｔ  Ｙｅｌｌｏｗ  １０９，１１０，１３７，１３９など）、キノフタロン顔料（好ましい例としてはＣ．Ｉ．Ｐｉｇｍｅｎｔ  Ｙｅｌｌｏｗ  １３８など）、フラパントロン顔料（例えばＣ．Ｉ．Ｐｉｇｍｅｎｔ  Ｙｅｌｌｏｗ  ２４など）が好ましく用いられる。
【０１７０】
黒顔料としては、無機顔料（好ましくは例としてはカーボンブラック、マグネタイト）やアニリンブラックを好ましいものとして挙げることができる。
この他、オレンジ顔料（Ｃ．Ｉ．Ｐｉｇｍｅｎｔ  Ｏｒａｎｇｅ  １３，１６など）や緑顔料（Ｃ．Ｉ．Ｐｉｇｍｅｎｔ  Ｇｒｅｅｎ  ７など）を使用してもよい。
【０１７１】
本技術に使用できる顔料は、上述の裸の顔料であっても良いし、表面処理を施された顔料でも良い。表面処理の方法には、樹脂やワックスを表面コートする方法、界面活性剤を付着させる方法、反応性物質（例えば、シランカップリング剤やエポキシ化合物、ポリイソシアネート、ジアゾニウム塩から生じるラジカルなど）を顔料表面に結合させる方法などが考えられ、次の文献や特許に記載されている。（１）  金属石鹸の性質と応用（幸書房）（２）  印刷インキ印刷（ＣＭＣ出版  １９８４）（３）  最新顔料応用技術（ＣＭＣ出版  １９８６）（４）  米国特許５，５５４，７３９号、同５，５７１，３１１号（５）特開平９−１５１３４２号、同１０−１４００６５号、同１０−２９２１４３号、同１１−１６６１４５号
特に、上記（４）の米国特許に記載されたジアゾニウム塩をカーボンブラックに作用させて調製された自己分散性顔料や、上記（５）の日本特許に記載された方法で調製されたカプセル化顔料は、インク中に余分な分散剤を使用することなく分散安定性が得られるため特に有効である。
【０１７２】
本発明においては、顔料は更に分散剤を用いて分散されていてもよい。分散剤は、用いる顔料に合わせて公知の種々のもの、例えば界面活性剤型の低分子分散剤や高分子型分散剤を用いることが出来る。分散剤の例としては特開平３−６９９４９号、欧州特許５４９４８６号等に記載のものを挙げることができる。また、分散剤を使用する際に分散剤の顔料への吸着を促進するためにシナジストと呼ばれる顔料誘導体を添加してもよい。
本技術に使用できる顔料の粒径は、分散後で０．０１〜１０μの範囲であることが好ましく、０．０５〜１μであることが更に好ましい。
顔料を分散する方法としては、インク製造やトナー製造時に用いられる公知の分散技術が使用できる。分散機としては、縦型あるいは横型のアジテーターミル、アトライター、コロイドミル、ボールミル、３本ロールミル、パールミル、スーパーミル、インペラー、デスパーサー、ＫＤミル、ダイナトロン、加圧ニーダー等が挙げられる。詳細は「最新顔料応用技術」（ＣＭＣ出版、１９８６）に記載がある。
【０１７３】
〔インクのｐＨ〕
本発明のインクは、インクの保存安定性及び吐出性の観点から、ｐＨが７．０以上１０．０以下であることが好ましい。
【０１７４】
〔水性媒体〕
本発明のインクには、水、又は水及び水溶性有機溶剤の混合溶媒である水性媒体を用いることができる。水は、脱イオン水（イオン交換水）を用いることが好ましい。インク中の水の含有量（質量％）は、インク全質量を基準として、１０．０質量％以上９０．０質量％以下であることが好ましい。
【０１７５】
水溶性有機溶剤は、水溶性であれば特に制限はなく、アルコール、多価アルコール、ポリグリコール、グリコールエーテル、含窒素極性溶媒、含硫黄極性溶媒などを用いることができる。インクの吐出安定性などの観点から、インク中の水溶性有機溶剤の含有量（質量％）は、インク全質量を基準として、５．０質量％以上９０．０質量％以下、更には１０．０質量％以上５０．０質量％以下であることが好ましい。
【０１７６】
水溶性有機溶剤は、具体的には、例えば、以下のものを用いることができる。メチルアルコール、エチルアルコール、ｎープロピルアルコール、イソプロピルアルコール、ｎ−ブチルアルコール、ｓｅｃ−ブチルアルコール、ｔｅｒｔ−ブチルアルコールなどの炭素数１〜４のアルキルアルコール類。ジメチルホルムアミド、ジメチルアセトアミドなどのアミド類。アセトン、ジアセトンアルコールなどのケトン又はケトアルコール類。テトラヒドロフラン、ジオキサンなどのエーテル類。ポリエチレングリコール、ポリプロピレングリコールなどのポリアルキレングリコール類。エチレングリコール、プロピレングリコール、ブチレングリコール、ジエチレングリコール、トリエチレングリコール、ヘキシレングリコール、チオジグリコールなどのグリコール類。１，５−ペンタンジオール、１，６−ヘキサンジオール、２−メチルー１，３−プロパンジオール、３−メチルー１，５−ペンタンジオール、１，２，６−ヘキサントリオ−ルなどのアルキレン基が２〜６個の炭素原子を持つアルキレングリコール類。ビス（２−ヒドロキシエチル）スルホン。ポリエチレングリコールモノメチルエーテルアセテートなどの低級アルキルエーテルアセテート類。エチレングリコールモノメチル（又はエチル）エーテル、ジエチレングリコールメチル（又はエチル）エーテル、トリエチレングリコールモノメチル（又はエチル）エーテルなどの多価アルコールのアルキルエーテル類。Ｎ−メチル−２−ピロリドン、２−ピロリドン、１，３−ジメチル−２−イミダゾリジノンなど。勿論、本発明はこれらに限られるものではない。これらの水溶性有機溶剤は、必要に応じて１種又は２種以上を用いることができる。
【０１７７】
〔その他の添加剤〕
本発明のインクは、上記した成分以外にも必要に応じて、トリメチロールプロパン、トリメチロールエタンなどの多価アルコール類や、エチレン尿素などの尿素誘導体などの、常温で固体の水溶性有機化合物を含有してもよい。更に、本発明のインクは必要に応じて、界面活性剤、ｐＨ調整剤、防錆剤、防腐剤、防黴剤、酸化防止剤、還元防止剤、蒸発促進剤、キレート化剤、及び水溶性ポリマーなど、種々の添加剤を含有してもよい。
【０１７８】
＜その他のインク＞
フルカラーの画像などを形成するために、本発明のインクを、本発明のインクとは別の色調を有するインクと組み合わせて用いることができる。本発明のインクは、例えば、ブラックインク、シアンインク、マゼンタインク、イエローインク、レッドインク、グリーンインク及びブルーインクなどから選択される少なくともいずれか１種のインクと共に用いられることが好ましい。また、これらのインクと実質的に同一の色調を有する、所謂淡インクを更に組み合わせて用いることもできる。これらのインク又は淡インクの水溶性染料は、公知の染料であっても、新規に合成された水溶性染料であっても用いることができる。
【０１７９】
＜インクジェット印刷機用カートリッジインク＞
本発明のインクは、インクジェット印刷機用のカートリッジインクとして好適に使用することができる。即ち、本発明のインクを印刷機用カートリッジ内のチャンバーに充填することにより、インクジェット印刷機により画像を形成することができる。
【０１８０】
＜記録媒体＞
本発明のインクを用いて画像を形成する際に用いる記録媒体は、インクを付与して記録を行う記録媒体であればいずれのものでも用いることができる。本発明においては、染料や顔料などの色材をインク受容層の多孔質構造を形成する微粒子に吸着させる、インクジェット用の記録媒体を用いることが好ましい。特には、支持体上のインク受容層に形成された空隙によりインクを吸収する、所謂、隙間吸収タイプのインク受容層を有する記録媒体を用いることが好ましい。隙間吸収タイプのインク受容層は、微粒子を主体として構成されるものであり、更に必要に応じて、バインダーやその他の添加剤を含有してもよい。
【０１８１】
微粒子は、具体的には、以下のものを用いることができる。シリカ、クレー、タルク、炭酸カルシウム、カオリン、アルミナ又はアルミナ水和物などの酸化アルミニウム、珪藻土、酸化チタン、ハイドロタルサイト、又は酸化亜鉛などの無機顔料。尿素ホルマリン樹脂、エチレン樹脂、スチレン樹脂などの有機顔料。これらの微粒子は、必要に応じて１種又は２種以上を用いることができる。
【０１８２】
バインダーは、水溶性高分子やラテックスなどが挙げられ、具体的には、以下のものを用いることができる。ポリビニルアルコール、澱粉、ゼラチン、又はこれらの変性体。アラビアゴム。カルボキシメチルセルロース、ヒドロキシエチルセルロース、又はヒドロキシプロピルメチルセルロースなどのセルロース誘導体。ＳＢＲラテックス、ＮＢＲラテックス、メチルメタクリレート−ブタジエン共重合体ラテックス、官能基変性重合体ラテックス、又はエチレン酢酸ビニル共重合体などのビニル系共重合体ラテックス。ポリビニルピロリドン。無水マレイン酸若しくはその共重合体、又はアクリル酸エステル共重合体など。これらのバインダーは、必要に応じて１種又は２種以上を用いることができる。
【０１８３】
その他に、必要に応じて添加剤を用いることができる。例えば、分散剤、増粘剤、ｐＨ調整剤、潤滑剤、流動性変性剤、界面活性剤、消泡剤、離型剤、蛍光増白剤、紫外線吸収剤、酸化防止剤、染料定着剤などを用いることができる。
【０１８４】
本発明のインクを用いて画像を形成する際には、平均粒子径が１μｍ以下である微粒子を主体として、インク受容層を形成した記録媒体を用いることが好ましい。前記微粒子の具体例は、シリカ微粒子や酸化アルミニウム微粒子などが挙げられる。シリカ微粒子として好ましいものは、コロイダルシリカに代表されるシリカ微粒子である。コロイダルシリカは市販品を用いることもできるが、特には、例えば、特許第２８０３１３４号公報、同２８８１８４７号公報に記載のコロイダルシリカを用いることが好ましい。また、酸化アルミニウム微粒子として好ましいものは、アルミナ水和物微粒子（アルミナ系顔料）を挙げることができる。
【０１８５】
記録媒体は上記したインク受容層を支持するための支持体を有することが好ましい。支持体は、インク受容層が、上記多孔質の微粒子で形成することが可能であって、かつインクジェット記録装置などの搬送機構によって搬送可能な剛度を与えるものであれば、特に制限はなく、いずれのものも用いることができる。例えば、天然セルロース繊維を主体としたパルプ原料で構成される紙支持体を用いることができる。また、ポリエステル（例えば、ポリエチレンテレフタラート）、セルローストリアセテート、ポリカーボネート、ポリ塩化ビニル、ポリプロピレン、ポリイミドなどの材料で構成されるプラスチック支持体を用いることができる。更に、基紙の少なくとも一方の面に白色顔料などを添加したポリオレフィン樹脂被覆層を有する樹脂被覆紙（例：ＲＣペーパー）を用いることができる。
【０１８６】
＜インクジェット記録方法＞
本発明は、本発明に係るインクジェット印刷機用カートリッジインクを用いるインクジェット記録方法及びインクジェット印刷機にも関する。
本発明のインクはインクジェットの記録方式に制限はなく、公知の方式例えば静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット方式等に用いられる。
インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０１８７】
本発明のインクジェット記録用インクは、インクジェット記録以外の用途に使用することもできる。例えば、ディスプレイ画像用材料、室内装飾材料の画像形成材料及び屋外装飾材料の画像形成材料などに使用が可能である。
【０１８８】
ディスプレイ画像用材料としては、ポスター、壁紙、装飾小物（置物や人形など）、商業宣伝用チラシ、包装紙、ラッピング材料、紙袋、ビニール袋、パッケージ材料、看板、交通機関（自動車、バス、電車など）の側面に描画や添付した画像、ロゴ入りの洋服、等各種の物を指す。本発明の染料をディスプレイ画像の形成材料とする場合、その画像とは狭義の画像の他、抽象的なデザイン、文字、幾何学的なパターンなど、人間が認知可能な染料によるパターンをすべて含む。
【０１８９】
室内装飾材料としては、壁紙、装飾小物（置物や人形など）、照明器具の部材、家具の部材、床や天井のデザイン部材等各種の物を指す。本発明の染料を画像形成材料とする場合、その画像とは狭義の画像の他、抽象的なデザイン、文字、幾何学的なパターンなど、人間が認知可能な染料によるパターンをすべて含む。
【０１９０】
屋外装飾材料としては、壁材、ルーフィング材、看板、ガーデニング材料屋外装飾小物（置物や人形など）、屋外照明器具の部材等各種の物を指す。本発明の染料を画像形成材料とする場合、その画像とは狭義の画像ののみならず、抽象的なデザイン、文字、幾何学的なパターンなど、人間が認知可能な染料によるパターンをすべて含む。
【０１９１】
以上のような用途において、パターンが形成されるメディアとしては、紙、繊維、布（不織布も含む）、プラスチック、金属、セラミックス等種々の物を挙げることができる。染色形態としては、媒染、捺染、若しくは反応性基を導入した反応性染料の形で色素を固定化することもできる。この中で、好ましくは媒染形態で染色されることが好ましい。
【実施例】
【０１９２】
以下、実施例及び比較例を用いて本発明を更に詳細に説明するが、本発明は、その要旨を超えない限り、下記の実施例によって何ら限定されるものではない。
【０１９３】
以下、実施例に本発明の染料混合物の合成法を詳しく説明するが、本発明はこれらの実施例に何ら限定されるものではない。
【０１９４】
実施例に使用した化合物（Ａ−１）は、特許第０４４００１８７号の段落番号〔００４２〕に記載の方法で合成した。化合物（Ｂ−１）は特許第２７１６５４１号に記載の方法で合成した。化合物（Ｂ−２）は特許第４５３３１３６号に記載の方法で合成した。化合物（Ｂ−３）は特許第４１７１６０７号に記載の方法で合成した。
【０１９５】
＜インクの調製＞
（母液の調整）
以下の溶液を混合し、常温において１時間攪拌した後、得られた溶液を目開き０．２５μｍのミクロフィルターを用いて減圧濾過することにより、母液Ｌを得た。
【０１９６】
（母液組成）
超純水：２．５０ｇ
グリセリン：１２．００ｇ
トリエチレングリコール：１８．００ｇ
トリエチレングリコールモノブチルエーテル：１８．００ｇ
トリエタノールアミン：０．２０ｇ
プロキセルＸＬ２（１，２−ベンズイソチアゾリン−３−オン、Ａｒｃｈ Ｃｈｅｍｉｃａｌｓ社製）：０．２０ｇ
ＡＦ１０１（１）（酢酸ビニール系耐溶剤性感光乳剤、栗田科学研究所製）：０．３０ｇ
サーフィノール４６５（商品名；アセチレングリコール系界面活性剤、Ａｉｒ Ｐｒｏｄｕｃｔｓ ａｎｄ Ｃｈｅｍｉｃａｌｓ Ｉｎｃ 製）：４．００ｇ
【０１９７】
化合物（Ａ−１）、化合物（Ｂ−１）〜化合物（Ｂ−１１）を以下の表に示す濃度で溶解させ、目開き０．２５μｍのミクロフィルターを用いて減圧濾過することにより、インク原料（濃厚水溶液）を作成した。
【０１９８】
【表１】
2013237807.tif 000033
【０１９９】
次に、化合物（Ａ−１）を使用して調整したインク原料と、化合物（Ｂ−１）〜（Ｂ−１２）を使用して調整したインク原料とを下記表に示す比率で混合し、６．９ｇの母液Ｌ（添加剤混合液）を添加した（全量が３０ｇを超える場合は、母液Ｌの添加量を調整し、全量が３０ｇとなるように調整した）後、合計質量が３０ｇとなるように加水することにより、インク１〜５５を調製した。このとき、色材の含有量の合計（質量％）は、インク全質量に対して３．２〜５質量％とした。
【０２００】
【表２】
2013237807.tif 000034
【０２０１】
【表３】
2013237807.tif 000035
【０２０２】
【表４】
2013237807.tif 000036
【０２０３】
得られたインクを用いて、インクジェットプリンターＰＭ−７００Ｃ（商品名、セイコーエプソン株式会社製）でクリスピア紙（商品名、セイコーエプソン株式会社製）に画像を記録させ、色調、濃度、紙依存性、耐水性及び耐オゾン性の評価を以下のように行った。
【０２０４】
＜評価＞
（１）色調
色調については、目視にてＡ（最良）、Ｂ（良好）、Ｃ（不良）の３段階で評価した。また、クリスピア紙でのλmax（反射スペクトル）の値（ＯＤ値）を示した。
【０２０５】
（２）濃度
前記画像を記録したクリスピア紙の染料印画部分を、Ｘ−Ｒｉｔｅ３１０ＴＲ(商品名、Ｘ−Ｒｉｔｅ社製反射濃度計）を用いて濃度を測定し評価を行った。濃度の濃い順にＡ（最良）、Ｂ（良好）、及びＣ（不良）の３段階で評価した。また、インクＮｏ．１〜１０について、λmax（反射スペクトル）の値（ＯＤ値）を測定し、図１及び２に示した。
【０２０６】
（３）紙依存性
前記クリスピア紙に記録した画像と、別途に画彩(商品名、富士フイルム株式会社製インクジェットプリンター用紙)、及びＰＴ−１０１（商品名、キャノン株式会社製写真用紙・光沢・プロ）に記録した画像との色調を比較し、両画像間の差が殆どない場合をＡ（最良）、両画像間の差が小さい場合をＢ（良好）、両画像間の差が大きい場合をＣ（不良）として、３段階で評価した。
【０２０７】
（４）耐水性
前記画像を記録したクリスピア紙を、１時間室温乾燥した後、１０秒間超純水に浸し、室温にて自然乾燥させ、にじみを観察した。にじみが少ないものから順に、目視にてＡ（最良）、Ｂ（良好）、及びＣ（不良）の３段階で評価した。
【０２０８】
（５）耐光性
前記画像を記録したクリスピア紙に、アトラスウエザオメータＣ．１６５（商品名、オーウエル株式会社製）を用いて、キセノン光（８５０００ルクス）を７日間照射し、キセノン光の照射前と照射後の画像濃度をＸ−Ｒｉｔｅ３１０ＴＲ(商品名、Ｘ−Ｒｉｔｅ社製反射濃度計）を用いて測定した。なお、前記濃度は、照射前の画像濃度が１．０、１．５、２．０の３点において測定した。その後、測定結果に基づき、色素残存率［（照射後画像濃度／照射前画像濃度）×１００％］を算出し、色素残存率が７０％以上の場合をＡ、１又は２点が７０％未満の場合をＢ、全ての濃度で７０％未満の場合をＣとして、三段階で評価した。
【０２０９】
（６）耐オゾン性
前記画像を記録したクリスピア紙を、オゾンガス濃度１０±０．１ｐｐｍ（室温、暗所）に設定されたボックス内で３日間放置し、オゾンガス下における放置前と放置後の画像濃度をＸ−Ｒｉｔｅ３１０ＴＲ(商品名、Ｘ−Ｒｉｔｅ社製反射濃度計）を用いて測定した。なお、前記濃度は、放置前の画像濃度が１．０、１．５、２．０の３点において測定した。その後、上記耐光性試験と同様にして、測定結果に基づき、色素残存率［（照射後画像濃度／照射前画像濃度）×１００％］を算出し、色素残存率が７０％以上の場合をＡ、１又は２点が７０％未満の場合をＢ、全ての濃度で７０％未満の場合をＣとして、三段階で評価した。ボックス内のオゾンガス濃度は、オゾンガスモニター（ＡＰＰＬＩＣＳ製：ＯＺＧ−ＥＭ−０１）を用いて設定した。
【０２１０】
（７）
インクＮｏ．１〜１０について、前記画像を記録したクリスピア紙でのλmax（反射スペクトル）をＧＲＥＴＡＧ ＳＰＭ１００-II（ＧＲＥＴＡＧ社製）を用いて測色し、これをＣＩＥ（国際照明委員会）Ｌ＊ａ＊ｂ＊色空間系に基づいて、Ｌ＊、ａ＊、ｂ＊を算出した。Ｌ＊と濃度（％）との関係を図３及び４に示した。また、ａ＊と、ｂ＊との関係を図４及び５に示した。
【０２１１】
評価結果を下記表５〜７に示す。
【０２１２】
【表５】
2013237807.tif 000037
【０２１３】
【表６】
2013237807.tif 000038
【０２１４】
【表７】
2013237807.tif 000039
【０２１５】
表５〜７の結果から、インクＮｏ．２〜４、７〜９、１２〜１４、１７〜１９、２２〜２４、２７〜２９、３２〜３４、３７〜３９、４２〜４４、４７〜４９、及び５２〜５４は一般式（Ａ−１）で表される第１の色材と、一般式（Ｂ−１）〜一般式（Ｂ−３）より選択される第２の色材とを併用することにより、これらの色材を単体で用いる場合より、耐水性、耐光性、耐オゾン性に優れ、特に、色相及び色調が良好なものとなり、高い濃度の色を得ることができた。
図１及び２より、第二の色材のみを含むインクＮｏ．５に比べ、本発明のＮ０．２〜４のインクはいずれも高いＯＤ値が得られた。また、図３〜６より、色材１と色材２の混合比率を変えることで所望の色相が得られることがわかった。
【図１】
2013237807.tif 000049
【図２】
2013237807.tif 000050
【図３】
2013237807.tif 000051
【図４】
2013237807.tif 000052
【図５】
2013237807.tif 000053
【図６】
2013237807.tif 000054